(57)【要約】【課題】２Ｄ／３Ｄ混在放送信号の受信状況に応じて信号処理モードの自動切り替えが実施されたとき、処理負担が軽く適切な映像信号処理モードの切替えを実現する。【解決手段】  本発明に係る一実施形態では、デコーダは、付加データに基づいて符号化映像信号を復号して復号映像信号を出力する。信号処理器は、前記復号化映像信号を２Ｄ映像信号或いは３Ｄ映像信号の信号処理モードで処理する。第１の検出器では、前記符号化映像信号の所定のピクチャフレームの復号が終了したか否かを検出し、第２の検出器では、前記デコーダでデコードされている前記符号化映像信号が２Ｄ用の信号か３Ｄ用の信号かを前記付加データを解析して検出する。そして前記第１の検出器で前記所定のピクチャフレームの復号の終了が検出されたことに応答して、前記第２の検出器はその検出結果を、前記信号処理器の前記信号処理モードの切替え器のために出力する。【選択図】図３
2012178709.tif 000002
【特許請求の範囲】
【請求項１】
付加データに基づいて符号化映像信号を復号して復号映像信号を出力するデコーダと、
前記復号化映像信号を２Ｄ映像信号或いは３Ｄ映像信号の信号処理モードで処理する信号処理器と、
前記符号化映像信号の所定のピクチャフレームの復号が終了したか否かを検出する第１の検出器と、
前記デコーダでデコードされている前記符号化映像信号が２Ｄ用の信号か３Ｄ用の信号かを前記付加データを解析して検出する第２の検出器を有し、
前記第１の検出器で前記所定のピクチャフレームの復号の終了が検出されたことに応答して、前記第２の検出器はその検出結果を、前記信号処理器の前記信号処理モードの切替え器のために出力する映像信号処理モードの切替え装置。
【請求項２】
さらにタイマー管理器を有し、
前記第２の検出器の検出結果が、前記タイマー管理器に入力され、前記タイマー管理器は、前記検出結果が所定期間内に入力しない場合は、前記切替え器に処理モードの切替え制御信号を与える請求項１記載の映像信号処理モードの切替え装置。
【請求項３】
さらにタイマーを有し、
前記第２の検出器の検出結果が、前記タイマー管理器に入力され、前記タイマー管理器は、前記検出結果が入力する毎に前記タイマーをリセットし、前記検出結果が所定期間内に入力しない場合は、前記切替え器に処理モードの切替え制御信号を与える請求項２記載の映像信号処理モードの切替え装置。
【請求項４】
前記第１の検出器は、Ｉピクチャフレームの復号が終了したことを検出する請求項３記載の映像信号処理モードの切替え装置。
【請求項５】
前記第１の検出器は、複数のＩピクチャフレームの復号が終了したときに、前記第２の検出器の前記検出結果の出力を許可する請求項４記載の映像信号処理モードの切替え装置。
【請求項６】
前記信号処理器は、出力回路を有し、
前記切替え器は、処理モードの切替え制御信号が与えられたとき、前記出力回路に対して、映像信号を一時ミュートするミュート制御信号を与える請求項３記載の映像信号処理モードの切替え装置。
【請求項７】
デコーダにより付加データに基づいて符号化映像信号を復号して復号映像信号を出力し、前記復号映像信号を信号処理器に入力し、前記信号処理器を制御ブロックにより制御し、前記復号化映像信号を２Ｄ映像信号処理モード或いは３Ｄ映像信号の信号処理モードで任意切替えて処理されるようにした映像信号処理モードの切替え方法において、
前記符号化映像信号の所定のピクチャフレームの復号が終了したか否かを検出し、
前記デコーダでデコードされている前記符号化映像信号が２Ｄ用の信号か３Ｄ用の信号かを前記付加データを解析して検出結果を取得し、
前記所定のピクチャフレームの復号の終了が検出されたことに応答して、前記検出結果から次の検出結果が得られるまでの時間をカウントし、
前記次の検出結果が所定期間内に入力しない場合は、切替え器に前記映像信号処理モードの切替え制御信号を与える
映像信号処理モードの切替え方法。
【発明の詳細な説明】
【技術分野】
【０００１】
本発明の実施形態は映像信号処理モードの切替え装置及び切替え方法に関する。
【背景技術】
【０００２】
最近、テレビジョン技術の分野では立体映像表示装置が製品として販売されている。また３次元（立体）映像信号（以下３Ｄ映像信号と称する）の放送も行われるようになった。しかし、一方では、今までの２次元映像信号（以下２Ｄ映像信号と称する）も放送され、２Ｄ及び３Ｄ映像信号がランダムに切り替わりながら放送されてくる（以下このような放送信号を２Ｄ／３Ｄ混在放送信号と称することにする）ことが考えられる。
【先行技術文献】
【特許文献】
【０００３】
【特許文献１】特開２０１１−１９２２４号公報
【発明の概要】
【発明が解決しようとする課題】
【０００４】
上記した２Ｄ／３Ｄ混在放送信号が例えば２Ｄ映像信号から３Ｄ映像信号、或いは３Ｄ映像信号から２Ｄ映像信号に切り替わったとき、受信機側では、ユーザがスクリーンの映像を見て、２Ｄ映像信号受信中か又はＤ映像信号受信中を判断する。そして、ユーザがマニュアル操作により、受信機の信号処理モードを２Ｄから３Ｄ映像信号処理、あるいは３Ｄから２Ｄ映像信号処理に切り替える。
【０００５】
一方では、放送機側で放送映像信号に２Ｄ映像信号或いは３Ｄ映像信号であることの識別信号を付加データとして付加し、受信機が前記識別信号を検出して自動的に信号処理モードを切り替える方式が考えられている。
【０００６】
しかしながら、受信機側において、上記のような信号処理モードの自動切り替えが実施されたとき、新たな問題が考えられる。
【０００７】
そこで本発明の目的は、２Ｄ／３Ｄ混在放送信号の受信状況に応じて信号処理モードの自動切り替えが実施されたとき、新たな問題に対処できる映像信号処理モードの切替え装置及び切替え方法を提供することにある。前記新たな問題への対処としては、受信装置の制御ブロックに過大な負担を与えないようにすること、信号処理モードの切替えができるだけ迅速で適切に行われること、信号処理モードの切替えエラーを防止すること、信号処理モードの切替え時の表示部におけるノイズの低減を得ることなどである。
【課題を解決するための手段】
【０００８】
実施形態によれば、付加データに基づいて符号化映像信号を復号して復号映像信号を出力するデコーダと、前記復号化映像信号を２Ｄ映像信号或いは３Ｄ映像信号の信号処理モードで処理する信号処理器と、前記符号化映像信号の所定のピクチャフレームの復号が終了したか否かを検出する第１の検出器と、前記デコーダでデコードされている前記符号化映像信号が２Ｄ用の信号か３Ｄ用の信号かを前記付加データを解析して検出する第２の検出器を有し、前記第１の検出器で前記所定のピクチャフレームの復号の終了が検出されたことに応答して、前記第２の検出器はその検出結果を前記信号処理器の前記信号処理モードの切替え器に供給する。
【図面の簡単な説明】
【０００９】
【図１】実施形態に係る映像信号処理モードの切替え制御装置の概略を示す図である。
【図２】映像信号処理モードの切替え制御装置が一体化したテレビジョン放送受信装置の全体構成例を示す図である。
【図３】映像信号処理モードの切替え制御装置の代表的な基本構成の一例を示す図である。
【図４】図３の装置の動作を説明するために示した代表的なフローチャートの例を示す図である。
【図５】映像信号処理モードの切替え制御装置の代表的な他の例を示す構成図である。
【図６】図５の装置の代表的な動作の一例を説明するために示した図である。
【図７】図５の装置の代表的な動作の一例を説明するために示したフローチャートである。
【図８】図５の装置の代表的な動作の他の一例を説明するために示した図である。
【発明を実施するための形態】
【００１０】
以下、実施の形態について図面を参照して説明する。先ず、立体映像表示について説明する。図１は、眼鏡を使用して立体映像を観察できる２眼式の立体映像表示装置の例であり、２種類の２眼方式を同時に示している。
【００１１】
第１の方式は、左眼用の映像（Ｌ）と右眼用の映像（Ｒ）がフレーム毎に交互にテレビジョン受信装置２１００で表示される例である。左眼用の映像（Ｌ）の信号と右眼用の映像（Ｒ）の信号は、外部から送られて来るものであっても、また、テレビジョン受信装置の内部で２Ｄ映像信号から擬似的に生成されるものであってもよい。
【００１２】
テレビジョン受信装置２１００からは、現在表示されている映像が、右目用映像と左目用映像のどちらであるかを示す識別情報が出力される。左右識別情報の搬送媒体は、有線、電波あるいは赤外線のいずれであってもよい。３Ｄ眼鏡３０００は、受信機３００１を有し、この受信機３００１は識別情報を受信し、左と右の液晶眼鏡のシャッター動作を制御し、表示された左右映像に同期させる。これにより視聴者は、右眼用の映像を右眼で左眼用の映像を左眼で観察し、立体映像を知覚することができる。
【００１３】
第２の方式は、左眼用の映像（Ｌ）がフレームの左半分に配置され、右眼用の映像（Ｒ）がフレームの右半分に配置されてテレビジョン受信装置２１００で表示される例である。この左眼用の映像（Ｌ）の信号、右眼用の映像（Ｒ）の信号も、外部から送られて来るものであっても、また、テレビジョン受信装置の内部で２Ｄ映像信号から擬似的に生成されるものであってもよい。この方式はサイドバイサイドと称されることもある。左と右の映像による出射光は、例えば偏光方向が異なり、３Ｄ眼鏡３０００は、偏光眼鏡が使用され、左と右のガラスが偏光性を有し、左のガラスは左の映像を透過し、右のガラスが右の映像を透過する。これにより視聴者は、右眼用の映像を右眼で左眼用の映像を左眼で観察し、立体映像を知覚することができる。または、３Ｄ眼鏡３０００の左と右の液晶眼鏡のシャッター動作を制御し表示された左右映像に同期させるようにしてもよい。さらに各種の立体映像表示方式があるがここでは、省略する。
【００１４】
図２は、実施形態が適用された装置の一例でありテレビジョン放送受信装置２１００の信号処理系を概略的に示している。デジタルテレビジョン放送受信用のアンテナ２２２で受信されたデジタルテレビジョン放送信号は、入力端子２２３を介してチューナ２２４に供給される。このチューナ２２４は、入力されたデジタルテレビジョン放送信号から所望のチャンネルの信号を選局しそして復調している。チューナ２２４から出力された信号は、デコーダ２２５に供給されて、このデコーダ２２５で例えばMoving Picture Experts Group（ＭＰＥＧ）２方式のデコード処理が施された後、セレクタ２２６に供給される。
【００１５】
またチューナ２２４の出力は、直接セレクタ２２６に供給されている。この信号から映像・音声情報（例えばトランスポートストリームＴＳ）などが分離され、この映像・音声情報が制御部２３５を介して記録・再生信号処理器２５５で処理され、ハードディスクドライブ（ＨＤＤ）２５７にて記録されることも可能である。ＨＤＤ２５７は、ユニットとして端子２５６を介して記録・再生信号処理器２５５に接続されており、交換することも可能である。またＨＤＤ２５７は、信号の記録器、読み取り器を含む。
【００１６】
アナログテレビジョン放送受信用のアンテナ２２７で受信したアナログテレビジョン放送信号は、入力端子２２８を介してチューナ２２９に供給される。このチューナ２２９は、入力されたアナログテレビジョン放送信号から所望のチャンネルの信号を選局しそして復調している。そして、このチューナ２２９から出力された信号は、Ａ／Ｄ（analog／digital）コンバータ２３０によりデジタル化された後、セレクタ２２６に出力される。
【００１７】
また、例えばＶＴＲなどの機器が接続されるアナログ信号用の入力端子２３１に供給されたアナログの映像及び音声信号は、Ａ／Ｄコンバータ２３２に供給されてデジタル化された後、セレクタ２２６に出力される。さらに、例えばHigh Definition Multimedia Interface（ＨＤＭＩ）２６１を介して光ディスクあるいは磁気記録媒体再生装置などの外部機器が接続されるデジタル信号用の入力端子２３３に供給されたデジタルの映像及び音声信号は、そのままセレクタ２２６に供給される。
【００１８】
Ａ／Ｄ変換された信号が、ＨＤＤ２５７にて記録される場合は、セレクタ２２６に付随しているエンコーダ・デコーダ２３６内のエンコーダにより、所定のフォーマット例えばMoving Picture Experts Group（ＭＰＥＧ）２方式による圧縮処理が施された後、記録・再生信号処理器２５５を介してＨＤＤ２５７に記録される。記録・再生信号処理器２５５は、記録制御器２３５aと相俟って、ＨＤＤ２５７に情報を記録する場合、例えばＨＤＤ２５７の何処のディレクトリに対してどのような情報を記録するかを予めプログラムされている。したがってストリームファイルをストリームディレクトリに格納するときの条件、識別情報を録画リストファイルに格納するときの条件などが設定されている。
【００１９】
セレクタ２２６は、４種類の入力デジタル映像及び音声信号から１つを選択して、信号処理器２３４に供給している。
【００２０】
この信号処理器２３４は、３Ｄ映像信号処理回路８０、２Ｄ映像信号処理回路９０及びビデオ出力回路２３９を含む。これらの信号処理回路は、入力されたデジタル映像信号からオーディオ情報、ビデオ情報を分離し、所定の信号処理を施している。信号処理としては、オーディオ情報に関しては、オーディオデコード・音質調整・ミックス処理などが任意に行われる。ビデオ情報に関しては、カラー・輝度分離処理、カラー調整処理、カラー及び輝度に関する画質調整処理などが行われる。
【００２１】
またビデオ出力回路２３９では、３Ｄ／２Ｄの切り替えに応じて３Ｄ映像信号出力又は２Ｄ映像信号出力の切り替えが行われる。またビデオ出力部２３９は、制御ブロック２３５からのグラフィック映像、文字・図形・記号・等の映像、ユーザインターフェース映像、番組表の映像などをメイン映像に多重する合成部も含む。ビデオ出力回路２３９は、走査線数変換を含んでもよい。
【００２２】
オーディオ情報は、オーディオ出力回路２３７でアナログ化され、音量、チャンネルバランスなどの調整を受けた後、出力端子２３８を介してスピーカ装置２１０２に出力される。
【００２３】
ビデオ情報は、ビデオ出力回路２３９にて、画素の合成処理、走査線数変換など受けたのち、出力端子２４２を介して表示装置２１０３へ出力される。
【００２４】
このテレビジョン放送受信装置２１００は、各種の受信動作を含む種々の動作を制御ブロック２３５によって統括的に制御されている。この制御ブロック２３５は、Central Processing Unit(ＣＰＵ）等を内蔵したマイクロプロセッサの集合である。制御ブロック２３５は、操作部２４７からの操作情報、または、リモートコントローラ２１０４から送信された操作情報がリモコン信号受信部２４８を取得され、これにより、その操作内容が反映されるように各種ブロックをそれぞれ制御している。
【００２５】
制御ブロック２３５は、メモリ２４９を使用している。このメモリ２４９は、主として、そのＣＰＵが実行する制御プログラムを格納したRead Only Memory(ＲＯＭ)と、該ＣＰＵに作業エリアを提供するためのRandom Access Memory(ＲＡＭ）と、各種の設定情報及び制御情報等が格納される不揮発性メモリとを備えている。
【００２６】
またこの装置はインターネットを介して外部サーバーとの通信を行うことも可能である。接続端子２４４からのダウンストリーム信号は、送・受信器２４５で復調され変調・復調器２４６で復調され、制御ブロック２３５に入力される。またアップストリーム信号は、変調・復調器２４６で変調され、送・受信器２４５で送信信号に変換され接続端子２４４に出力される。
【００２７】
制御ブロック２３５は、外部サーバーからダウンロードされた動画像あるいはサービス情報を変換処理し、ビデオ出力回路２３９に供給することができる。また制御ブロック２３５は、リモコン操作に応答して、外部サーバーに向けてサービス要求信号を送信することもできる。
【００２８】
さらに制御ブロック２３５は、コネクタ２５１に装着されたカードタイプメモリ２５２のデータを読み取ることも可能である。このために本装置は、例えば、カードタイプメモリ２５２から写真画像データを取り込み、表示装置２１０４に表示することが可能である。また特殊なカラー調整などを行う際に、カードタイプメモリ２５２からの画像データを標準データ或いは参照データとして用いることも可能である。
【００２９】
上記装置において、ユーザは、デジタルテレビジョン放送信号の所望の番組を視聴すると共に、ＨＤＤ２５７に保存したいと思う場合、リモートコントローラ２１０４を操作することによりチューナ２２４を制御し、番組選択を行う。
【００３０】
チューナ２２４の出力は、デコーダ２２５でデコードされベースバンド映像信号に復号され、このベースバンド映像信号は、セレクタ２２６から信号処理器２３４に入力する。これによりユーザは、所望の番組を表示装置２１０３で視聴することができる。
【００３１】
また選択された番組のストリーム（多数のパケットからなる）は、セレクタ２２６を介して制御ブロック２３５に入力する。ユーザが録画操作を行えば、記録制御器３５ａは、前記番組のストリームを選択して記録・再生信号処理器２５５に供給する。記録制御器２３５ａ及び記録・再生信号処理器２５５の動作により、例えば前記番組のストリームに対してファイル番号が付され、ストリームファイルとしてＨＤＤ２５７のファイルディレクトリに格納される。
【００３２】
また、ユーザがＨＤＤ２５７に記録されているストリームファイルを再生して視聴したい場合、例えばリモートコントローラ２１０４を操作して、例えば録画リストファイルの表示を指定する。
【００３３】
録画リストファイルは、ＨＤＤ２５７にどのようなストリームファイルが記録されているのかを示すファイル番号やファイル名（識別情報と称する）のテーブルを有する。ユーザが録画リストファイルの表示を指定すると、録画リストがメニューとして表示されるので、ユーザは、表示されたリストの中の希望の番組名あるいはファイル番号の位置にカーソルを移動させ、決定ボタンを操作する。すると、所望のストリームファイルの再生が開始される。
【００３４】
指定されたストリームファイルは、再生制御器２３５ｂの制御のもとで、ＨＤＤ２５７から読み出され、記録・再生信号処理器２５５で復号され、制御ブロック２３５、セレクタ２２６を経由して信号処理器２３４に入力される。
【００３５】
ここで、制御ブロック２３５は、記録制御器２３５a、再生制御器２３５ｂ、及び３Ｄ関連制御器２３５ｃ、表示制御器２３５ｄを含む。表示制御器２３５ｄは、例えばチャンネル番号データ、メッセージデータ、番組表データ、字幕データなどを処理して、ビデオ出力回路２３９に供給する。
【００３６】
次に図３を参照して、３Ｄ関連制御器２３５ｃ、３Ｄ映像信号処理回路８０及び２Ｄ映像信号処理回路９０の構成について説明する。デコーダ２２５には、デジタルの符号化映像信号が入力する。また符号化映像信号には、付加データが付加されている。付加データは、符号化映像信号を復号するために参照される情報であり、付加データ分離器６０で分離されて、制御ブロック２３５内に取り込まれる。付加データ分離器６０は、デコーダ２２５の内部或いはセレクタ２２６の内部に設けられていてもよい。
【００３７】
付加データは、例えばMoving Picture Expert Group （ＭＰＥＧ)２符号化データに含まれるシーケンス層、ピクチャ層などに含まれる各種の制御データである。Ｉ，Ｐ，Ｂピクチャのマクロブロック情報やその他の拡張情報も含まれる。またＭＰＥＧ４，Advanced Video Coding(ＡＶＣ)などの情報においては、Supplemental Enhancement Information (ＳＥＩ)もこの制御データの範疇である。したがって付加データは、対応する符号化映像信号が３Ｄ用又は２Ｄ用の信号であるのかの識別情報も含むことができる。またピクチャ層のフレームがＩピクチャ、Ｐピクチャ、Ｂピクチャのいずれであるかのかの識別情報も含むことができる。
【００３８】
デコーダ２２５は、付加データに基づいて符号化映像信号を復号して復号映像信号を出力する。復号映像信号は、セレクタ２２６を介して、信号処理器２３４内の２Ｄ映像信号処理回路９０若しくは３Ｄ映像信号処理回路８０にて処理される。
【００３９】
付加データ分離器６０で分離された付加データは、３Ｄ関連制御器２３５ｃ内の２Ｄ／３Ｄ識別回路７０に入力される。この２Ｄ／３Ｄ識別回路７０は、デコーダ２２５で符号化映像信号の所定のピクチャフレーム（例えばＩピクチャ）の復号が終了したか否かを検出するピクチャデコード検出器７０ａを有する。ピクチャデコード検出器７０aは、例えば、デコーダ２２５のＩ，Ｐ，Ｂピクチャフレームの復号処理状況を、Ｉ，Ｐ，Ｂ情報をデコーダから受け取ることで、追跡監視することで、所定のピクチャフレーム（例えばＩピクチャ）の復号が終了したことを検出できる。
【００４０】
また２Ｄ／３Ｄ識別回路７０は、２Ｄ／３Ｄ識別信号検出器７０ｂを有する。２Ｄ／３Ｄ識別信号検出器７０ｂと記述したが、３Ｄ識別信号のみの検出器であってもよい。
【００４１】
３Ｄ識別フラグが、例えばピクチャ層などに付加データとして含まれている。またＭＰＥＧ４，Advanced Video Coding(ＡＶＣ)などの情報においては、Supplemental Enhancement Information (SEI)に付加データとして３Ｄ識別フラグが含まれている。したがって、２Ｄ／３Ｄ識別信号検出器７０ｂは、上記付加データの内容を解析することで、デコーダ２２５でデコードされる符号化映像信号が、３Ｄ用の信号であるか、２Ｄ用の信号であるかどうかを検出することができる。
【００４２】
そしてピクチャデコード検出器７０ａで、Ｉピクチャフレームの復号の終了が検出されたことに応答して、２Ｄ／３Ｄ識別信号検出器７０ｂはその検出結果を信号処理器８０の信号処理モードの動作モード切替え器７３に供給する。これにより、２Ｄ映像信号処理回路９０若しくは３Ｄ映像信号処理回路８０による適切な信号処理形態が切り替わる。
【００４３】
３Ｄ映像信号処理回路８０は、分離回路８０aにおいて、左眼用映像信号と右眼用映像信号を分離する。左眼用映像信号と右眼用映像信号は、それぞれ左眼用信号処理回路８０ｂと右眼用信号処理回路８０ｃとでコントラスト調整、カラー調整等が施され、３Ｄ信号出力回路８０ｄに入力される。３Ｄ信号出力回路８０ｄは、左眼用の映像（Ｌ）と右眼用の映像（Ｒ）がフレーム毎に交互に表示器で表示される形態、或いは、左眼用の映像（Ｌ）がフレームの左半分に配置され、右眼用の映像（Ｒ）がフレームの右半分に配置されて表示される形態で立体視用映像信号を出力する。
【００４４】
上記した図３の構成であると、Ｉピクチャフレームの復号が終了する毎（或るはＩピクチャフレームの復号が複数回の復号が終了する毎）に、信号処理器８０の信号処理モードの動作モードを３Ｄ或いは２Ｄ用に切替えている。
【００４５】
ここで、切替え時のノイズを最小に抑えるには、Ｉ，Ｐ，Ｂピクチャフレーム毎に３Ｄ映像信号或いは２Ｄ映像信号が復号されているのか否かを判定すればよい。しかしこのように毎回の判定処理を行うと、制御ブロック２３５における負担が大きくなる。そこで、Ｉピクチャフレーム毎（（或いは複数回のＩピクチャフレームの復号毎））に３Ｄ或いは２Ｄ映像信号がデコードされたかを判定することで、制御ブロック２３５における負担を大きく軽減することができる。ただし切替え時のノイズが表示される可能性があるが、３Ｄ信号出力回路８０ｄ、２Ｄ信号出力回路９０aに対してミュート制御信号を与えることで画像乱れを隠すことができる。また画像ミュート時間は、例えば１乃至５の数ＧＯＰ期間に抑制することで、違和感なく切り替えを実現することができる。
【００４６】
図４はさらに別の実施形態である。図４の実施形態は、図３の実施形態に比べて、２Ｄ／３Ｄ識別信号検出器７０ｂからの例えば３Ｄ用信号の検出タイミング信号がタイマー管理器７０ｃに入力されている。また、タイマー管理器７０ｃは、タイマー７０ｄのクロックを参照している。
【００４７】
この実施形態では、２Ｄ／３Ｄ識別信号検出器７０ｂが３Ｄ映像信号の検出信号を得ると、タイマー管理器７０ｃがタイマー７０ｄをリセットする。またタイマー７０ｄがリセットされた後は、タイマー管理器７０ｃは、タイマー７０ｄのクロックを監視し、所定時間が経過（タイムオーバー）すると、動作モード切替え器７２に対して制御信号を与える。この制御信号に応答して、動作モード切替え器７２は、信号処理器２３４の動作モードを２Ｄ用の信号処理モードに設定する。つまり、３Ｄ映像信号処理回路８０の動作状態から、２Ｄ映像信号処理回路９０の動作状態に切替える。
【００４８】
上記の実施形態によると、図３に示した実施形態の効果、「Ｉピクチャフレームの復号毎（或いは複数回のＩピクチャフレームの復号毎）に３Ｄ或いは２Ｄ用の信号がデコードされたかを判定することで、制御ブロック２３５における負担を軽減することができる」を有することに加えて、識別信号検出器７０ｂは、３Ｄ識別信号のみの存在を検出するだけでよい。また、放送信号が、２Ｄ識別信号を搬送せず、３Ｄ識別信号のみを搬送している場合には有効である。例えば既に符号化処理されている従来のコンテンツと新しい３Ｄの符号化コンテンツが同じストリーム上で送信されてきたときは、有効である。
【００４９】
なお上記の説明では、Ｉピクチャフレーム毎に３Ｄ或いは２Ｄ映像信号がデコードされたかどうかを判定するとしたが、Ｉピクチャフレームが複数回デコードされたときに３Ｄ映像信号がデコードされたかどうかを判定してもよい。
【００５０】
図５は、本実施形態の装置が、３Ｄ映像信号の処理状態から２Ｄ映像信号の処理状態に移行するときの動作を示すタイミングチャートの一例である。５Ａは、復号映像信号に２Ｄ映像信号と３Ｄ映像信号が混在している状態を示している。時点ｔ１までは２Ｄ映像信号で、この時点ｔ１から３Ｄ映像信号に変化した例を示している。そして時点ｔ２から再び２Ｄ映像信号に変化した例を示している。
【００５１】
Ｔｒｓは、Ｉピクチャフレームのデコードが完了し、３Ｄ識別信号が検出され、タイマー７０ｄがリセットされ再スタートした時点を示している。図５の例であると、時点ｔ１で３Ｄ映像信号が検出されているので、２Ｄ映像信号処理回路９０の動作状態から３Ｄ映像信号処理回路８０の動作状態に切替える。
【００５２】
そして、タイマー７０ｄのカウント動作をスタートする。ここで、次の判定において、Ｉピクチャフレームのデコードが完了しかつ３Ｄ識別信号が検出された場合、タイマー７０ｄがリセットされ、カウント動作が初期値から再スタートする。このために、タイマー７０ｄは、任意の期間内でリセットが行われる限り、タイマー管理器７０ｃが動作モードの切り替え制御信号を出力することはない。
【００５３】
しかし、時点ｔ２で示すように、Ｉピクチャフレームのデコードが完了したとき、３Ｄ識別信号が検出されなかった場合、タイマー７０ｄのカウント値は、タイムオーバーを示すことになる。このときは、タイマー管理器７０ｃが動作モードの切り替え制御信号を出力し、動作モード切替え器７２は、３Ｄ映像信号処理回路８０の動作状態から、２Ｄ映像信号処理回路９０の動作状態に切替える。
【００５４】
タイムオーバー（Ｔ１）の設定時間は、少なくとも検出期間（検出インターバル）時間よりも大きい値である。
【００５５】
この実施例では、時点（ｔ２）で３Ｄ識別信号の未検出があった。もしこの時点（ｔ２）で直ぐに、２Ｄ識別信号が検出された場合は、直ぐに２Ｄ映像信号の処理モードに切替えてもよい。
【００５６】
図６は、図５の動作タイミングを実現するフローチャートの一例を示している。予め設定されたインターバルの経過の後、スタートし、割り込み処理で２Ｄ／３Ｄ判別結果の入力があったかどうかの判定が行われる（ステップＳ２）。判別結果が３Ｄ映像信号の復号であると判別している場合は、タイマーを初期値から再スタートさせる。判別結果が３Ｄ映像信号の復号ではないと判別している場合は、タイマーがスタートしているかどうかを判定する（ステップＳ４）。タイマーがスタートしている場合は、タイマーはＴ１時間をカウント済みであるかどうかを判定する（ステップＳ５）。タイマーがＴ１時間（タイムオーバー）をカウント済みであれば、２Ｄ映像信号処理モードに信号処理器２３４を切替える。
【００５７】
図５及び図６の動作説明は、３Ｄ映像信号処理モードから２Ｄ映像信号処理モードに切り替わるときの動作説明であった。
【００５８】
図７は、２Ｄ映像信号処理モードから３Ｄ映像信号処理モードに切り替わるときの動作の一例を示している。時点ｔ３までは２Ｄ映像信号で、この時点ｔ３から３Ｄ映像信号に変化した例を示している。予め設定したインターバル毎に３Ｄ識別信号が検出されているか否かが判別される。この判別の時期は、たとえばＩピクチャフレームのデコードが完了したときと同期している。
【００５９】
時点ｔ３で３Ｄ映像信号に変化しているので、２Ｄ／３Ｄ識別信号検出器７０ｂにより３Ｄ識別信号が検出される。このときは、タイマー管理器７０ｃは、例えば所定のミュート期間を設定して、即座に信号処理器２３４を３Ｄ映像信号処理状態に切替える。また、２Ｄ／３Ｄ識別信号検出器７０ｂは、各ピクチャフレーム（この場合は、Ｉ，Ｐ，Ｂピクチャフレーム）が３Ｄ用であるか２Ｄ用であるかを判定する。この判定は、デコーダ２２５でデコードされるピクチャフレームの情報を監視することで可能である。例えばピクチャ層の付加データ（ヘッダ情報）が制御ブロック２３５で解析され、デコーダ２２５でデコードすべきピクチャフレームの順序が決定されるが、このときに、３Ｄ用であるか２Ｄ用であるかの識別信号も付加データから取得されている。
【００６０】
タイマー７０ｄとタイマー管理器７０ｃとは、例えば、時点ｔ３以後のＧＯＰ期間を設定する。この期間で各Ｉ，Ｐ，Ｂピクチャフレームについて３Ｄ／２Ｄ識別信号を判別する。ここで、３Ｄ識別信号が例えばＮ以上であれば、ストリームが真に３Ｄ映像信号に切り替わっていると判定し、モードセット信号を３Ｄに確定する。しかし、３Ｄ識別信号が例えばＮに満たない場合、先の３Ｄ判定がエラーであると判定し、元のモードセット信号を２Ｄに戻す。前記の時点ｔ３以後のＧＯＰ期間は、複数のＧＯＰ期間（例えば１秒程度でもよい）。この間は、映像出力はミュートされることが好ましい。しかし、２Ｄ映像信号から３Ｄ映像信号に変化したときは、信号処理器は、即座に３Ｄ映像信号処理モードに切り替わってもよい。
【００６１】
放送設備において、２Ｄ映像信号から３Ｄ映像信号に切り替えてストリームを送信する場合、符号化装置は、２Ｄ映像信号と３Ｄ映像信号を連続して符号化して圧縮処理を行う。このために、例えば３Ｄ用信号のＩピクチャフレームの前後に２Ｄ用のピクチャフレーム（Ｐ、Ｂ等）が配置されることがある。このようなピクチャフレーム列のピクチャ層から２Ｄ／３Ｄ識別信号を抽出すると、ストリームが３Ｄ映像信号に切り替わるにも関わらず、３Ｄ識別信号の検出後に、２Ｄ識別信号が検出される可能性がある。識別信号が切り替わる毎に信号処理モードを切替えると表示される映像は乱れることになる。
【００６２】
そこで本実施形態においては、３Ｄ識別信号を検出したときは、直ぐに３Ｄ映像信号処理モードに切替えるが、で各Ｉ，Ｐ，Ｂピクチャフレームについて３Ｄ／２Ｄ識別信号を判別する。ここで、３Ｄ識別信号が例えばＮ以上であれば、ストリームが真に３Ｄ映像信号に切り替わっていると判定し、モードセット信号を３Ｄに確定するようにしている。この他の方法としては、例えば一定期間は、２Ｄ識別信号を無視するようにし、一定期間の後に３Ｄ識別信号が到来しているときにモードセット信号を３Ｄに確定してもよい。
【００６３】
上記した実施形態によれば、２Ｄ／３Ｄ混在放送信号の受信状況に応じて信号処理モードの自動切り替えを円滑に実施できる。本実施形態によれば、受信装置の制御ブロックに過大な負担を与えない。信号処理モードの切替えができるだけ迅速で適切に行われる。信号処理モードの切替えエラーを防止する。信号処理モードの切替え時の表示部におけるノイズの低減を得る。
【００６４】
図８は、さらに別の動作例を示すフローチャートである。ステップＳＡ１，ＳＡ２，ＳＡ３のループでは、デコーダ２２５でデコードされているピクチャフレームがＩ，Ｐ，Ｂのいずれのピクチャフレームであるかを検出する。ステップＳＡ３は、検出時点のインターバル期間を設定する。ステップＳＡ１は、デコード情報を取り込んで、ステップＳＡ２で、Ｉピクチャフレームのデコードが終了したかどうかを判定している。
【００６５】
一方、ステップＳＢ１，ＳＢ２のループでは、デコード中のピクチャフレームの識別信号を取り込み、該識別信号が、３Ｄ識別信号であるかどうかを検出している。取り込んだ識別信号が３Ｄ識別信号であった場合、ステップＳＢ３で、現在の処理モードが２Ｄ映像信号処理モードであるかどうかを判定する。
【００６６】
ステップＳＢ３で、現在の処理モードが２Ｄであった場合は、ステップＳＢ４、ＳＢ５でＩピクチャフレームのデコードが完了した時点で３Ｄ映像信号処理モードに切替える。また図７で説明したように、ＧＯＰ内で３Ｄ識別信号が複数Ｎ検出されたかどうかを判定し、複数検出された場合は、３Ｄモードセット信号を保持する。しかし、ＧＯＰ内で３Ｄ識別信号が複数Ｎ検出されなかった場合は、２Ｄ映像信号処理モードに切替える。
【００６７】
ステップＳＢ２において、３Ｄ識別信号が検出され、現在のモードセット信号が３Ｄであれば、タイマーがリセットされる（ステップＳＢ１１）。つまり図５で説明した動作状態に移行する。そしてタイムオーバーがあると２Ｄ映像信号処理モードへの切替えが実行される（ステップ）ＳＢ１２、ＳＢ１３）。
【００６８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６９】
２２４・・・チューナ、２２５・・・デコーダ、２２６・・・セレクタ、２３４・・・信号処理器、２３５・・・制御ブロック、２３５ｃ・・・３Ｄ関連制御器、８０・・・３Ｄ映像信号処理回路、８０a・・・分離回路、８０ｂ・・・左眼用信号処理回路、８０ｃ・・・右眼用信号処理回路、８０ｄ・・・３Ｄ信号出力回路、９０・・・２Ｄ映像信号処理回路、９０ａ・・・２Ｄ信号出力回路、７０・・・２Ｄ／３Ｄ識別回路、７０ａ・・・ピクチャデコード終了検出器、２Ｄ／３Ｄ識別信号検出器、７０ｃ・・・タイマー管理器、７０ｄ・・・タイマー、７２・・・動作モード切替え器。
【図１】
2012178709.tif 000003
【図２】
2012178709.tif 000004
【図３】
2012178709.tif 000005
【図４】
2012178709.tif 000006
【図５】
2012178709.tif 000007
【図６】
2012178709.tif 000008
【図７】
2012178709.tif 000009
【図８】
2012178709.tif 000010
【手続補正書】
【提出日】平成24年5月24日(2012.5.24)
【手続補正１】
【補正対象書類名】特許請求の範囲
【補正対象項目名】全文
【補正方法】変更
【補正の内容】
【特許請求の範囲】
【請求項１】
付加データに基づいて符号化映像信号を復号して復号映像信号を出力するデコーダと、
前記復号化映像信号を２Ｄ映像信号或いは３Ｄ映像信号の信号処理モードで処理する信号処理器と、
前記符号化映像信号の複数のＩのピクチャフレームの復号が終了したか否かを検出する第１の検出器と、
前記デコーダでデコードされている前記符号化映像信号が２Ｄ用の信号か３Ｄ用の信号かを前記付加データを解析して検出する第２の検出器を有し、
前記複数のＩのピクチャフレームの復号が終了したことを前記第１の検出器が検出したことに応答して、前記第２の検出器はその検出結果を、前記信号処理器の前記信号処理モードの切替え器のために出力する映像信号処理モードの切替え装置。
【請求項２】
さらにタイマー管理器を有し、
前記第２の検出器の検出結果が、前記タイマー管理器に入力され、前記タイマー管理器は、前記検出結果が所定期間内に入力しない場合は、前記切替え器に処理モードの切替え制御信号を与える請求項１記載の映像信号処理モードの切替え装置。
【請求項３】
さらにタイマーを有し、
前記第２の検出器の検出結果が、前記タイマー管理器に入力され、前記タイマー管理器は、前記検出結果が入力する毎に前記タイマーをリセットし、前記検出結果が所定期間内に入力しない場合は、前記切替え器に処理モードの切替え制御信号を与える請求項２記載の映像信号処理モードの切替え装置。
【請求項４】
前記第１の検出器は、Ｉピクチャフレームの復号が終了したことを検出する請求項３記載の映像信号処理モードの切替え装置。
【請求項５】
前記信号処理器は、出力回路を有し、
前記切替え器は、処理モードの切替え制御信号が与えられたとき、前記出力回路に対して、映像信号を一時ミュートするミュート制御信号を与える請求項３記載の映像信号処理モードの切替え装置。
【請求項６】
デコーダにより付加データに基づいて符号化映像信号を復号して復号映像信号を出力し、前記復号映像信号を信号処理器に入力し、前記信号処理器を制御ブロックにより制御し、前記復号化映像信号を２Ｄ映像信号処理モード或いは３Ｄ映像信号の信号処理モードで任意に切替えて処理するようにした映像信号処理モードの切替え方法において、
前記符号化映像信号の複数のＩのピクチャフレームの復号が終了したか否かを検出し、
前記デコーダでデコードされている前記符号化映像信号が２Ｄ用の信号か３Ｄ用の信号かを前記付加データを解析して検出結果を取得し、
前記複数のＩのピクチャフレームの復号が終了したことを検出されたことに応答して、前記２Ｄ用の信号か３Ｄ用の信号かの前記検出結果から次の検出結果が得られるまでの時間をカウントし、
前記次の検出結果が所定期間内に入力しない場合は、切替え器に前記映像信号処理モードの切替え制御信号を与える
映像信号処理モードの切替え方法。
【手続補正２】
【補正対象書類名】明細書
【補正対象項目名】０００８
【補正方法】変更
【補正の内容】
【０００８】
実施形態によれば、付加データに基づいて符号化映像信号を復号して復号映像信号を出力するデコーダと、前記復号化映像信号を２Ｄ映像信号或いは３Ｄ映像信号の信号処理モードで処理する信号処理器と、前記符号化映像信号の複数のＩのピクチャフレームの復号が終了したか否かを検出する第１の検出器と、前記デコーダでデコードされている前記符号化映像信号が２Ｄ用の信号か３Ｄ用の信号かを前記付加データを解析して検出する第２の検出器を有し、前記複数のＩのピクチャフレームの復号が終了したことを前記第１の検出器が検出したことに応答して、前記第２の検出器はその検出結果を、前記信号処理器の前記信号処理モードの切替え器に供給する。